(57)【特許請求の範囲】
【請求項１】
第１の透光板と、前記第１の透光板の上に配置され荷物を載置可能に構成された第２の透光板と、前記第１及び第２の透光板の界面に設けられた光拡散層とを有する棚板と、
前記棚板の少なくとも一端部を支持する支持体と、
前記支持体の内部に配置され、前記棚板の前記一端部から前記棚板の内部へ入射する照明光を出射する第１の光源と
を具備し、
前記支持体は、前記第１の光源を収容し前記棚板の前記一端部を挟持する金属製の第１のケーシングと、前記棚板の前記一端部と前記第１のケーシングとの間に介装された透光性を有する第１の弾性部材と、を含む第１の支持ユニットを有し、
前記第１の弾性部材は、前記棚板の前記一端部と前記第１のケーシングとの間に配置される一対のシール部と、前記一対のシール部との間に設けられ前記棚板の前記一端部と前記第１の光源との間に配置された導光部とを有する
荷棚。
【請求項２】
請求項１に記載の荷棚であって、
前記光拡散層は、
前記第１及び第２の透光板を相互に接合する透光性の接合層と、
前記接合層の少なくとも一方の面に形成された光拡散性のドットパターンと、を有する
荷棚。
【請求項３】
請求項１又は２に記載の荷棚であって、
前記導光部は、前記棚板の前記一端部から前記棚板の内部へ入射する照明光を集光するレンズ部を有する
荷棚。
【請求項４】
請求項１〜３のいずれか１つに記載の荷棚であって、
前記棚板は、前記一端部とは反対側の他端部をさらに有し、
前記支持体は、前記棚板の前記他端部を挟持する金属製の第２のケーシングと、前記棚板の前記他端部と前記第２のケーシングとの間に介装された第２の弾性部材と、を含む第２の支持ユニットをさらに有する
荷棚。
【請求項５】
請求項４に記載の荷棚であって、
前記第２のケーシングに収容され、前記棚板の前記他端部から前記棚板の内部へ入射する照明光を出射する第２の光源をさらに具備する
荷棚。
【請求項６】
請求項１〜５のいずれか１つに記載の荷棚であって、
前記第１の光源は、前記棚板の前記一端部に沿って配列された複数の半導体発光素子を含む
荷棚。
【発明の詳細な説明】
【技術分野】
【０００１】
本発明は、例えば鉄道車両や観光バス等の室内に設置される荷棚に関する。
【背景技術】
【０００２】
例えば鉄道車両や観光バス等の荷棚は、一般的に、アルミニウム合金やステンレス鋼等の金属材料で構成され、車両構体の前後方向に沿って室内の両窓側の座席の上部に設置されている。通常、車内の照明灯は天井の中央付近に設けられているため、照明灯の光が荷棚に遮られてしまい、これにより窓側の座席には、中央側（通路側）の座席と比較して、十分な明るさを確保することが困難であった。
【０００３】
一方、下記特許文献１には、金属製の荷棚本体と、荷棚本体の上面に配置された棚板と、荷棚本体の下面に配置された面状照明部とを備えた車両用荷棚が記載されている。上記面状照明部は、複数の照明用ＬＥＤが配列されたＬＥＤアレイと、所定の上下幅の隙間を挟んで上下にそれぞれ配置された反射拡散板および拡散照射板とを含む。複数の照明用ＬＥＤは、上記隙間に沿って車両の前後方向に並べられ、反射拡散板は白色のプラスチック板で構成され、拡散照射板は透明なプラスチック板で構成される。このような構成により、上記隙間内に照射された白色光は、反射拡散板によって拡散照射板に向けて反射拡散し、拡散照射板から拡散状態で下方へ出射することで、窓側の座席にも十分な照明光が照射されるとしている。
【先行技術文献】
【特許文献】
【０００４】
【特許文献１】特開２００５−３２４６９４号公報
【発明の概要】
【発明が解決しようとする課題】
【０００５】
しかしながら、特許文献１に記載の荷棚においては、棚板と面状照明部とが上下に離間して配置されているため、荷棚の薄型化が図れないという問題がある。また、面状照明部の上面を形成する反射拡散板が白色のプラスチックで構成されているため、荷棚の下の座席から棚板上の荷物の有無を確認することができないという問題もある。
【０００６】
以上のような事情に鑑み、本発明の目的は、薄型化を実現でき、座席から荷棚の上の荷物の有無を確認することができる荷棚を提供することにある。
【課題を解決するための手段】
【０００７】
上記目的を達成するため、本発明の一形態に係る荷棚は、棚板と、支持体と、第１の光源とを具備する。
上記棚板は、第１の透光板と、上記第１の透光板の上に配置され荷物を載置可能に構成された第２の透光板と、上記第１及び第２の透光板の界面に設けられた光拡散層とを有する。
上記支持体は、上記棚板の少なくとも一端部を支持する。
上記第１の光源は、上記支持体の内部に配置され、上記棚板の上記一端部から上記棚板の内部へ入射する照明光を出射する。
【０００８】
上記荷棚において、棚板は第１及び第２の透光板の積層体で構成され、一端部から入射した照明光をその上面及び下面で内部反射を繰り返しながら他端部へ向けて進行させる導光板として機能する。棚板の内部へ入射した照明光は、第１及び第２の透光板の界面に設けられた光拡散層によって拡散され、その拡散光が第１及び第２の透光板を透過する。
したがって上記荷棚は、その直下に設置された座席へ照明光を照射する面状発光体として構成されるため、当該座席に所望とする明るさを提供することが可能となる。また、第２の透光板が透光性を有するとともに、荷棚全体を薄型に構成することができるため、当該座席から第２の透光板に載置された荷物の存在を容易に視認することが可能となる。
【０００９】
上記光拡散層は、上記第１及び第２の透光板を相互に接合する透光性の接合層と、上記接合層の少なくとも一方の面に形成された光拡散性のドットパターンとを有してもよい。
これにより、第１及び第２の透光板を一体的に接合して棚板の必要な強度を確保することができるとともに、棚板の所望とする輝度分布を容易に得ることが可能となる。
【００１０】
上記支持体は、第１の支持ユニットを有してもよい。上記第１の支持ユニットは、上記第１の光源を収容し上記棚板の上記一端部を挟持する金属製の第１のケーシングと、上記棚板の上記一端部と上記第１のケーシングとの間に介装された第１の弾性部材とを含む。
上記弾性部材により、第１のケーシングと棚板との間のシール性が確保されるとともに、第１のケーシングとの接触による損傷から棚板の一端部を効果的に保護することが可能となる。
【００１１】
上記第１の弾性部材は、透光性材料で構成され、上記棚板の上記一端部と上記第１のケーシングとの間に配置されたシール部と、上記棚板の上記一端部と上記光源との間に配置されたレンズ部とを有してもよい。
上記レンズ部により、棚板の一端部から内部へ入射する照明光の光学特性を容易に調整することが可能となる。
【００１２】
上記棚板は、第２の支持ユニットをさらに有してもよい。上記第２の支持ユニットは、上記一端部とは反対側の他端部をさらに有し、上記支持体は、上記棚板の上記他端部を挟持する金属製の第２のケーシングと、上記棚板の上記他端部と上記第２のケーシングとの間に介装された第２の弾性部材とを含む。
【００１３】
この場合、上記棚板は、第２の光源をさらに具備してもよい。上記第２の光源は、上記第２のケーシングに収容され、上記棚板の上記他端部から上記棚板の内部へ入射する照明光を出射する。
【００１４】
上記第１及び第２の光源は、典型的には、上記棚板の上記一端部及び他端部に沿って配列された複数の半導体発光素子を含む。
【発明の効果】
【００１５】
以上のように、本発明の荷棚によれば、薄型化を実現でき、座席から荷棚の上の荷物の有無を確認することができる。
【図面の簡単な説明】
【００１６】
【図１】本発明の第１の実施形態に係る荷棚の構成を示す斜視図である。
【図２】図１におけるＡ−Ａ線断面図である。
【図３】図２における要部の拡大図である。
【図４】上記荷棚における棚板の光拡散層の構成を概略的に示す要部の平面図である。
【図５】上記光拡散層の作用を説明する荷棚の要部概略断面図である。
【図６】本発明の第２の実施形態に係る荷棚の構成を示す要部断面図である。
【図７】図６の構成の変形例を示す断面図である。
【図８】本発明の第３の実施形態に係る荷棚の構成を示す断面図である。
【発明を実施するための形態】
【００１７】
以下、図面を参照しながら、本発明の実施形態を説明する。
【００１８】
図１は本発明の一実施形態に係る荷棚の構成を示す斜視図、図２は図１におけるＡ−Ａ線断面図、図３は図２における要部の拡大図である。なお、各図においてＸ軸、Ｙ軸及びＺ軸は、相互に直交する３軸方向にそれぞれ対応し、Ｘ軸及びＹ軸は略水平方向を示しており、Ｚ軸方向は略高さ方向を示している。
【００１９】
本実施形態の荷棚１は、棚板１０と、支持体２０と、複数のブラケット３０とを有する。荷棚１は、図１に示す形態を基本ユニットとして備え、当該基本ユニットを車両の前後方向（Ｙ軸方向）に複数連続させて車両の両窓側の側面にそれぞれ設置される。
【００２０】
棚板１０は、長方形状の透光性材料で構成される。棚板１０の各長辺は、車両の前後方向に沿って配置され、棚板１０の各短辺は、ブラケット３０に対向している。棚板１０の大きさは特に限定されず、例えば、長辺方向の長さは８００ｍｍ〜８５０ｍｍ、短辺方向の長さは２００ｍｍ〜２５０ｍｍとされる。
【００２１】
図２に示すように、棚板１０の下面１０１は、後述するように、その直下の座席を照明する発光面として構成される。一方、棚板１０の上面１０２は、主として、荷物を載置することが可能に構成された載置面として構成される。
【００２２】
図３に示すように、棚板１０は、第１の透光板１１と、第１の透光板１１の上面に接合された第２の透光板１２とを有する。第１の透光板１１の下面は上記発光面を構成し、第２の透光板１２の上面は上記載置面を構成する。
【００２３】
第１の透光板１１は透光性材料で構成され、典型的には、板ガラス、あるいは、アクリル樹脂等の透光性を有するプラスチック材料で構成される。第２の透光板１２も同様に透光性材料で構成される。第１及び第２の透光板１１，１２は、相互に同一の形状及び大きさで構成されるが、これら透光板１１，１２を構成する透光性材料は相互に同一である場合に限られない。例えば、第２の透光板１２は、第１の透光板１１よりも透光性（透明性）の低い材料で構成されてもよい。具体的には、第１の透光板１１が透明な板ガラスで構成される場合、第２の透光板１２は乳白色の板ガラス等で構成されてもよい。
【００２４】
棚板１０の一方の長辺側の一端部１０Ａ及び他方の長辺側の他端部１０Ｂは、それぞれ支持体２０で支持されている。支持体２０は、棚板１０の一端部１０Ａを支持する第１の支持ユニット２１と、棚板１０の他端部１０Ｂを支持する第２の支持ユニット２２とを有する。第１の支持ユニット２１の内部には、棚板１０の一端部１０Ａから棚板１０の内部へ入射する照明光を出射する光源４１（第１の光源）が配置されている。
【００２５】
第１の支持ユニット２１は、金属製のケーシング２１０（第１のケーシング）と、弾性部材２１３（第１の弾性部材）とを有する。ケーシング２１０は、光源４１を収容し、棚板１０の一端部１０Ａをその厚み方向（Ｚ軸方向）に挟持する。弾性部材２１３は、棚板１０の一端部１０Ａとケーシング２１０との間に介装される。弾性部材２１３は、ケーシング２１０内への水分や塵埃の侵入を防止するための密封材として機能するとともに、棚板１０に作用する荷重をケーシング２１０において弾性的に吸収するための緩衝材として機能する。
【００２６】
ケーシング２１０は、光源４１を収容する空間部Ｓを有する灯体２１１と、灯体２１１の上部に配置されて空間部Ｓを被覆する蓋体２１２とを有する。灯体２１１及び蓋体２１２はいずれも、例えばアルミニウム合金やステンレス鋼などの金属材料で構成される。灯体２１１は、棚板１０の一端部１０Ａの下面に対向する支持端部２１１ａを有し、蓋体２１２は、棚板１０の一端部１０Ａの上面に対向する支持端部２１２ａを有する。
【００２７】
灯体２１１の上面には、Ｙ軸方向に直線的に延びる凸面部２１１ｐを有し、蓋体２１２の下面には、凸面部２１１ｐに嵌合する凹面部２１２ｐを有する。灯体２１１及び蓋体２１２は、凸面部２１１ｐと凹面部２１２ｐとの嵌合作用により結合され、この状態において各々の支持端部２１１ａ及び２１２ａがＺ軸方向に相互に対向して配置される。灯体２１１と蓋体２１２とは、例えば、ネジ等の締結具を用いて相互に一体的に結合される。
【００２８】
一方、図３に示すように、光源４１は、配線基板４１１と、配線基板４１１に実装された複数の半導体発光素子４１２とを含む。配線基板４１１は、Ｙ軸方向に沿って配置された長辺を有する帯状の基板であり、その実装面が棚板１０の一端部１０Ａに対向するように設置されている。配線基板４１１は、その各長辺部分が灯体２１１及び蓋体２１２にそれぞれ設けられた溝部２１１ｇ及び２１２ｇに嵌合することで、灯体２１１の空間部Ｓに位置決めされる。
【００２９】
複数の半導体発光素子４１２は、ＬＥＤ（Light Emitting Diode）で構成され、棚板１０の一端部１０Ａに対向してＹ軸方向に等間隔で配列されている。本実施形態において各半導体発光素子４１２は、砲弾型のＬＥＤパッケージ部品で構成されるが、これに限られず、ＳＭＤ（Surface Mount Device）タイプで構成されてもよい。複数の半導体発光素子４１２は、照明光として、例えば白色光をそれぞれ出射することが可能に構成される。
【００３０】
弾性部材２１３は、透光性及び弾性を有する材料で構成され、例えば、シリコーンゴムなどの合成樹脂材料で構成される。弾性部材２１３は、棚板１０の一端部１０Ａの全域に取り付けられ、図３に示すように、一対のシール部２１３ａと、導光部２１３ｂとを有する。一対のシール部２１３ａは、棚板１０の一端部１０Ａと灯体２１１の支持端部２１１ａ、及び、棚板１０の一端部１０Ａと蓋体２１２の支持端部２１２ａとの間にそれぞれ配置される。
【００３１】
導光部２１３ｂは、一対のシール部２１３ａの間に設けられ、棚板１０の一端部１０Ａの端面と、光源４１（半導体発光素子４１２）との間に配置される。導光部２１３ｂは、透光性を有するため、光源４１から出射した照明光を棚板１０の一端部１０Ａの端面に導く作用を有する。なお、導光部２１３Ｂは、図３に示すように断面が一様な平板状に形成される場合に限られず、後述するように、光源４１からの出射光を集光して棚板１０の内部に入射させるレンズ形状に形成されてもよい。
【００３２】
棚板１０は、第１の透光板１１と第２の透光板１２との界面に設けられた光拡散層１３をさらに有する。光拡散層１３は、後述するように、棚板１０の内部に入射した照明光を拡散して、棚板１０の下面１０１及び上面１０２から照明光を照射する機能を有する。
【００３３】
図４は、光拡散層１３の構成を概略的に示す要部の平面図、図５は、光拡散層１３の作用を説明する要部の概略断面図である。
【００３４】
光拡散層１３は、第１及び第２の透光板１１，１２を相互に接合する透光性の接合層１３１と、接合層１３１の少なくとも一方の面に形成された光拡散性のドットパターン１３２とを有する。
【００３５】
光拡散層１３１は、典型的には、透光性を有する両面粘着テープで構成される。ドットパターン１３２は、粘着層１３１の上面、下面あるいは両面に形成された、印刷層で構成される。本実施形態では、ドットパターン１３２は、粘着層１３１の下面（第１の透光板１１に対向する面）に形成された、白色または金属光沢を有する円形の印刷パターンで構成される。ドットパターン１３２は、棚板１０の下面１０１及び上面１０２から照明光を均一に照射することが可能に、図４において矢印で示す照明光Ｌの進行方向（Ｘ軸方向）に沿ってパターンの大きさが段階的に大きくなるように形成される。
【００３６】
一方、第２の支持ユニット２２は、第１の支持ユニット２１と同様に、金属製のケーシング２２０（第２のケーシング）と、弾性部材２２３（第２の弾性部材）とを有する。ケーシング２２０は、灯体２２１と蓋体２２２とを有し、第１の支持ユニット２１におけるケーシング２１０と比較して同一の構成を有する点で共通するが、内部に光源を収容していない点で異なる。なお後述するように、ケーシング２２０の内部に光源（第２の光源）が配置されてもよい。
【００３７】
ケーシング２１０，２２０は、棚板１０に関して相互に対称的に構成される。弾性部材２２３も同様に、第１の支持ユニット２１における弾性部材２１３と同様に構成される。
第２の支持ユニット２２は、棚板１０の他端部１０Ｂを支持することが可能に構成される。ケーシング２２０は、棚板１０の他端部１０Ｂを挟持し、弾性部材２２３は、棚板１０の他端部１０Ｂとケーシング２２０との間に介装される。弾性部材２２３は、ケーシング２２０内への水分や塵埃の侵入を防止するための密封材として機能するとともに、棚板１０に作用する荷重をケーシング２２０において弾性的に吸収するための緩衝材として機能する。
【００３８】
第１及び第２の支持ユニット２１，２２のＹ軸方向の両端部は、一対のブラケット３０によって共通に支持されている。ブラケット３０は、典型的には金属材料で構成され、基部３１と、アーム部３２とを有する。基部３１は、略Ｚ軸方向に延び、その一端部３１０には、車両構体（車両の両窓側の側面）に複数のボルト等を介して固定される取付部３１０が設けられ、基部３１の他端部にはアーム部３２が連続的に形成される。基部３１及びアーム部３２は、中空の板材で構成され、これらの内部には、光源４１と接続される配線ケーブル等が収容される。
【００３９】
アーム部３２は、第１及び第２の支持ユニット２１，２２を支持し、基部３１の他端部から略Ｘ軸方向に突出するように形成される。本例では、アーム部３２の基部（車両の側面側）で第１の支持ユニット２１が支持され、アーム部３２の先端部３２０で第２の支持ユニット２２が支持される。アーム部３２の先端部３２０の突出方向は、Ｘ軸方向に平行な水平方向であってもよいし、Ｘ軸に対して所定角度上方に傾斜する方向であってもよい。基部３１とアーム部３２とのなす角度によって、棚板１０の設置角度が設定される。
【００４０】
以上のように構成される本実施形態の荷棚１において、棚板１０は、第１及び第２の透光板１１，１２の積層体で構成されるため、荷棚１全体の薄型化を実現することができる。また、棚板１０は、光源４１から一端部１０Ａへ入射した照明光Ｌを、上面１０２及び下面１０１で内部反射を繰り返しながら他端部１０Ｂへ向けて進行させつつ、光拡散層１３で照明光Ｌを棚板１０の両面に向けて拡散させる導光板として機能する。
【００４１】
例えば図５に示すように、棚板１０の内部へ入射した照明光Ｌは、第１及び第２の透光板１１，１２の界面に設けられた光拡散層１３によって拡散され、その拡散光Ｌ１，Ｌ２が第１及び第２の透光板１１，１２を透過する。拡散光Ｌ１は、第１の透光板１１を透過し、棚板１０の直下の座席を照明する照明光を形成する。一方、拡散光Ｌ２は、第２の透光板を透過し、棚板１０の直上を照明する照明光を形成する。
【００４２】
このように荷棚１０は、その直下に設置された座席へ照明光を照射する面状発光体として構成されるため、当該座席に所望とする明るさを提供することが可能となる。また、第２の透光板１２が透光性を有するとともに、荷棚１０全体を薄型に構成することができるため、当該座席から棚板１０上に載置された荷物の存在を容易に視認することが可能となる。
【００４３】
本実施形態においては、棚板１０の光拡散層１３が、第１及び第２の透光板１１，１２を相互に接合する透光性の接合層１３１と、接合層１３１の少なくとも一方の面に形成された光拡散性のドットパターン１３２とを有する。これにより、第１及び第２の透光板１１，１２を一体的に接合して棚板の必要な強度を確保することができるとともに、棚板１０の所望とする輝度分布を容易に得ることが可能となる。上記輝度分布としては、棚板１０の面内全域に均一な輝度が得られるように設定されてもよいし、任意の方向に輝度のピークが現れるように設定されてもよい。
【００４４】
また、棚板１０の両端部１０Ａ，１０Ｂが第１及び第２の支持ユニット２１，２２を介してブラケット３０に支持されているため、荷棚１全体の剛性を高めることができる。さらに、第１及び第２の支持ユニット２１，２２が弾性部材２１３，２２３をそれぞれ有しているため、ケーシング２１０，２２０と棚板１０との間のシール性が確保されるとともに、ガラス製の棚板１０を金属製のケーシング２１０，２２０との接触による損傷から効果的に保護することが可能となる。
【００４５】
＜第２の実施形態＞
図６は、本発明の第２の実施形態に係る支持体２０（第１の支持ユニット２１）の構成を示す要部概略断面図である。以下、第１の実施形態と異なる構成について主に説明し、上述の実施形態と同様の構成については同様の符号を付しその説明を省略または簡略化する。
【００４６】
本実施形態では、ケーシング２１と棚板１０との間に介装される弾性部材２１４の構成が上述の第１の実施形態と異なる。すなわち本実施形態の弾性部材２１４は、レンズ部２１３ｃが設けられる点で、第１の実施形態と異なる。レンズ部２１３ｃは、一対のシール部２１３ａの間に設けられ、棚板１０の端面と光源４１（半導体発光素子４１２）との間に配置される。レンズ部２１３ｃにより、棚板１０の一端部１０Ａから内部へ入射する照明光Ｌの光学特性を容易に調整することが可能となる。
【００４７】
本実施形態においてレンズ部２１３ｃは、光源４１との対向面に光源４１へ向かって突出する凸レンズ形状を有する。これにより、レンズ部１３ｃに入射する照明光に対する一定の集光作用が得られるため、棚板１０の一端部１０Ａの端面に効率よく照明光を入射させることが可能となる。
【００４８】
レンズ部の形状はこれに限られず、種々の形状が採用可能である。例えば図７に示すレンズ部２１３ｄは、棚板１０の一端部１０Ａの端面に向かって突出する凸形状を有する。この場合においても同様に、レンズ部１３ｃに入射する照明光に対する一定の集光作用が得られるため、棚板１０の一端部１０Ａの端面に効率よく照明光を入射させることが可能となる。なお、レンズ部２１３ｄの光源４１側の面に、図６に示すレンズ部２１３ｃがさらに形成されてもよい。
【００４９】
＜第３の実施形態＞
図８は、本発明の第３の実施形態に係る荷棚の構成を示す要部の断面図である。以下、第１の実施形態と異なる構成について主に説明し、上述の実施形態と同様の構成については同様の符号を付しその説明を省略または簡略化する。
【００５０】
本実施形態の荷棚は、第２の支持ユニット２２の内部に光源４２（第２の光源）が配置されている。光源４２は、第１の支持ユニット２１の内部に配置された光源４１（第１の光源）と同様な構成を有し、Ｙ軸方向に等間隔で配列された複数の半導体発光素子（ＬＥＤ素子）を含む。
【００５１】
光源４２は、棚板１０の他端部１０Ｂの端面に対向し、他端部１０Ｂから棚板１０の内部に向けて照明光を照射する。光源４２から出射する照明光は、光源４１と同様に白色でもよいし、光源４１とは異なる色であってもよい。また、光源４２から出射された照明光を棚板１０の全面から均一に照射されるように、光拡散層１３（図３〜図５）のドットパターンが最適化されてもよい。
【００５２】
本実施形態によれば、２つの光源４１，４２を備えているため、棚板１０から所望とする明るさの照明光を容易に照射することができる。また、光源４１に由来する照明光の輝度分布と光源４２に由来する照明光の輝度分布とが相互に異なるようにすることで、例えば任意の複数の方向に照明光を分配することが可能となる。さらに、光源４１，４２とで相互に異なる色の照明光を出射し、それらの混色光で照明するようにしてもよい。
【００５３】
以上、本発明の実施形態について説明したが、本発明は上述の実施形態にのみ限定されるものではなく種々変更を加え得ることは勿論である。
【００５４】
例えば以上の実施形態では、棚板１０の上面を形成する第２の透光板１２が透明又は半透明なガラス板あるいはプラスチック板で構成されたが、これに限られず、例えば第２の透光板１２の上面１０２（載置面）にシボ加工等の粗面化加工を施してもよい。これにより、座席からの棚板１０上の荷物の視認性を確保しつつ、棚板１０の下面１０１からの光の出射量を高めることができる。
【００５５】
また、以上の実施形態では、光源に複数の半導体発光素子（ＬＥＤ）が採用されたが、これに限られず、蛍光管や有機ＥＬ素子等の他の発光素子が用いられてもよい。
【符号の説明】
【００５６】
１…荷棚
１０…棚板
１１…第１の透光板
１２…第２の透光板
１３…光拡散層
２０…支持体
２１…第１の支持ユニット
２２…第２の支持ユニット
３０…ブラケット
４１，４２…光源
２１０，２２０…ケーシング
２１３，２２３…弾性部材
２１３ａ…シール部
２１３ｃ，２１３ｄ…レンズ部
【図１】
0006545985.tif 000002
【図２】
0006545985.tif 000003
【図３】
0006545985.tif 000004
【図４】
0006545985.tif 000005
【図５】
0006545985.tif 000006
【図６】
0006545985.tif 000007
【図７】
0006545985.tif 000008
【図８】
0006545985.tif 000009